(57)【要約】【課題】より簡易的な設計で透過波長シフトの発生を抑制する。【解決手段】固体撮像素子は、第１の多層膜層および第２の多層膜層によって透過波長調整層が挟み込まれる積層構造の多層膜フィルタを備える。また、透過波長調整層は、少なくとも屈折率の異なる２種類の誘電体が混在するように形成され、その混在する割合によって実効的な屈折率が決定される。そして、２種類の誘電体が混在する割合は、多層膜フィルタに照射される光の入射角が小さいチップ中央部から光の入射角が大きいチップ端部に向かうに従い、透過波長調整層の実効的な屈折率が大きくなるように調整される。本技術は、例えば、裏面照射型のCMOSイメージセンサに適用できる。【選択図】図１
2018026378.tif 000002
【特許請求の範囲】
【請求項１】
第１の屈折率を有する第１層、第２の屈折率を有する第２層、および第３の屈折率を有する第３層が少なくとも積層されて構成され、前記第１層および前記第２層によって前記第３層が挟み込まれる積層構造の多層膜フィルタを備え、
前記第３層は、少なくとも屈折率の異なる２種類の誘電体が混在するように形成されており、その混在する割合によって実効的な屈折率が決定され、
２種類の前記誘電体が混在する割合は、前記多層膜フィルタに照射される光の入射角が小さい部分から光の入射角が大きい部分に向かうに従い、前記第３層の実効的な屈折率が大きくなるように、前記第３層の面内に亘って調整される
固体撮像素子。
【請求項２】
前記第３層は、所定の屈折率の第１の誘電体を母材として、前記第１の誘電体とは屈折率が異なる第２の誘電体を埋め込むことにより、前記多層膜フィルタが透過する光の透過波長より小さいサイズの構造体が前記第２の誘電体により形成されて構成される
請求項１に記載の固体撮像素子。
【請求項３】
前記第１の誘電体に対する前記第２の誘電体の割合は、前記光の入射角に応じて、前記構造体の寸法を変更することにより調整される
請求項２に記載の固体撮像素子。
【請求項４】
前記第１の誘電体の屈折率が前記第２の誘電体の屈折率よりも低い場合、前記第１の誘電体に対する前記第２の誘電体の割合は、前記光の入射角が大きくなる領域における前記構造体の寸法を大きくすることで調整される
請求項３に記載の固体撮像素子。
【請求項５】
前記第１の誘電体に対する前記第２の誘電体の割合は、前記光の入射角に応じて、前記構造体の配置密度を変更することにより調整される
請求項２に記載の固体撮像素子。
【請求項６】
前記第１の誘電体の屈折率が前記第２の誘電体の屈折率よりも低い場合、前記第１の誘電体に対する前記第２の誘電体の割合は、前記光の入射角が大きくなる領域における前記構造体の配置密度を高くすることで調整される
請求項５に記載の固体撮像素子。
【請求項７】
前記多層膜フィルタは、複数の領域ごとに異なる波長域の光を透過するように、前記領域ごとに前記第３層の実効的な屈折率が設定され、
それぞれの前記領域において、前記光の入射角に応じて２種類の前記誘電体が混在する割合が調整される
請求項１に記載の固体撮像素子。
【請求項８】
光入射面側から順に、前記多層膜フィルタ、画素ごとに光電変換部が形成される光電変換層、前記光電変換層から画素信号を読み出す読み出し回路が積層された構造である
請求項１に記載の固体撮像素子。
【請求項９】
前記第３の屈折率は、前記第１の屈折率および前記第２の屈折率よりも低屈折率である
請求項１に記載の固体撮像素子。
【請求項１０】
前記第１層および前記第２層は、屈折率の異なる材料からなる膜が積層された多層膜層である
請求項１に記載の固体撮像素子。
【請求項１１】
前記第１の屈折率および前記第２の屈折率が略同一である
請求項１に記載の固体撮像素子。
【請求項１２】
第１の屈折率を有する第１層、第２の屈折率を有する第２層、および第３の屈折率を有する第３層が少なくとも積層されて構成され、前記第１層および前記第２層によって前記第３層が挟み込まれる積層構造の多層膜フィルタを備え、
前記第３層は、少なくとも屈折率の異なる２種類の誘電体が混在するように形成されており、その混在する割合によって実効的な屈折率が決定され、
２種類の前記誘電体が混在する割合は、前記多層膜フィルタに照射される光の入射角が小さい部分から光の入射角が大きい部分に向かうに従い、前記第３層の実効的な屈折率が大きくなるように、前記第３層の面内に亘って調整される
固体撮像素子の製造方法であって、
所定の屈折率の第１の誘電体を母材として、前記第１の誘電体とは屈折率が異なる第２の誘電体を埋め込み、
前記多層膜フィルタが透過する光の透過波長より小さいサイズの構造体を前記第２の誘電体により形成する
工程を含む製造方法。
【請求項１３】
第１の屈折率を有する第１層、第２の屈折率を有する第２層、および第３の屈折率を有する第３層が少なくとも積層されて構成され、前記第１層および前記第２層によって前記第３層が挟み込まれる積層構造の多層膜フィルタを備え、
前記第３層は、少なくとも屈折率の異なる２種類の誘電体が混在するように形成されており、その混在する割合によって実効的な屈折率が決定され、
２種類の前記誘電体が混在する割合は、前記多層膜フィルタに照射される光の入射角が小さい部分から光の入射角が大きい部分に向かうに従い、前記第３層の実効的な屈折率が大きくなるように、前記第３層の面内に亘って調整される
固体撮像素子を備える電子機器。
【発明の詳細な説明】
【技術分野】
【０００１】
本開示は、固体撮像素子および製造方法、並びに電子機器に関し、特に、より簡易的な設計で透過波長シフトの発生を抑制することができるようにした固体撮像素子および製造方法、並びに電子機器に関する。
【背景技術】
【０００２】
従来、撮像装置には、CMOS（Complementary Metal Oxide Semiconductor）イメージセンサやCCD（Charge Coupled Device）イメージセンサなどの撮像素子が利用されている。撮像素子は、赤色、緑色、および青色の波長域の光を透過するカラーフィルタが受光面に積層されたデバイス構造となっており、それぞれの波長域の光を検出することにより画像が撮像される。
【０００３】
また、近年では、イメージセンサの用途が広がっており、例えば、赤外の波長域の光を検出して撮像したり、赤色、緑色、および青色よりも多波長（マルチスペクトル）に光を分解して検出して撮像したりすることが検討されている。このような用途では、従来のカラーフィルタによる分光だけではなく、異なる誘電率を持つ多層膜の光干渉効果を利用し、狙った波長の光のみ急峻に透過させることが可能な多層膜フィルタの使用が検討されている。
【０００４】
多層膜フィルタは、光の干渉効果を利用して、透過する波長をコントロールしている。そのため、例えば、CMOSイメージセンサのチップ内で光の入射角が異なる領域においては、多層膜フィルタを透過する際の光路長が変化することより、それぞれの領域を透過する透過波長がシフトしてしまう。これにより、いわゆるスマートフォンなどに代表される小型なカメラモジュールのように、光の入射角が大きい電子機器では、チップ中心部とチップ端部とで光の入射角に応じて、透過波長シフトが顕著に発生することになる。
【０００５】
例えば、特許文献１では、多層膜フィルタの下に、干渉特性が異なる微細な構造体を追加し、その構造体の微細構造をチップ内における光の入射角に応じて変更することで、透過波長ピークシフトを抑制する発明が提案されている。
【先行技術文献】
【特許文献】
【０００６】
【特許文献１】特開２０１３−５５２０２号公報
【発明の概要】
【発明が解決しようとする課題】
【０００７】
しかしながら、特許文献１の発明で提案されている構造は、多層膜フィルタの構造と微細構造を合わせた干渉効果を考慮して設計する必要があり、多層膜フィルタの構造と微細構造との積層構造が複雑になっていた。
【０００８】
本開示は、このような状況に鑑みてなされたものであり、より簡易的な設計で透過波長シフトの発生を抑制することができるようにするものである。
【課題を解決するための手段】
【０００９】
本開示の一側面の固体撮像素子は、第１の屈折率を有する第１層、第２の屈折率を有する第２層、および第３の屈折率を有する第３層が少なくとも積層されて構成され、前記第１層および前記第２層によって前記第３層が挟み込まれる積層構造の多層膜フィルタを備え、前記第３層は、少なくとも屈折率の異なる２種類の誘電体が混在するように形成されており、その混在する割合によって実効的な屈折率が決定され、２種類の前記誘電体が混在する割合は、前記多層膜フィルタに照射される光の入射角が小さい部分から光の入射角が大きい部分に向かうに従い、前記第３層の実効的な屈折率が大きくなるように、前記第３層の面内に亘って調整される。
【００１０】
本開示の一側面の固体撮像素子の製造方法は、第１の屈折率を有する第１層、第２の屈折率を有する第２層、および第３の屈折率を有する第３層が少なくとも積層されて構成され、前記第１層および前記第２層によって前記第３層が挟み込まれる積層構造の多層膜フィルタを備え、前記第３層は、少なくとも屈折率の異なる２種類の誘電体が混在するように形成されており、その混在する割合によって実効的な屈折率が決定され、２種類の前記誘電体が混在する割合は、前記多層膜フィルタに照射される光の入射角が小さい部分から光の入射角が大きい部分に向かうに従い、前記第３層の実効的な屈折率が大きくなるように、前記第３層の面内に亘って調整される固体撮像素子の製造方法であって、所定の屈折率の第１の誘電体を母材として、前記第１の誘電体とは屈折率が異なる第２の誘電体を埋め込み、前記多層膜フィルタが透過する光の透過波長より小さいサイズの構造体を前記第２の誘電体により形成する工程を含む。
【００１１】
本開示の一側面の電子機器は、第１の屈折率を有する第１層、第２の屈折率を有する第２層、および第３の屈折率を有する第３層が少なくとも積層されて構成され、前記第１層および前記第２層によって前記第３層が挟み込まれる積層構造の多層膜フィルタを備え、
前記第３層は、少なくとも屈折率の異なる２種類の誘電体が混在するように形成されており、その混在する割合によって実効的な屈折率が決定され、２種類の前記誘電体が混在する割合は、前記多層膜フィルタに照射される光の入射角が小さい部分から光の入射角が大きい部分に向かうに従い、前記第３層の実効的な屈折率が大きくなるように、前記第３層の面内に亘って調整される固体撮像素子を備える。
【００１２】
本開示の一側面においては、第１の屈折率を有する第１層、第２の屈折率を有する第２層、および第３の屈折率を有する第３層が少なくとも積層されて構成され、第１層および第２層によって前記第３層が挟み込まれる積層構造の多層膜フィルタにおいて、第３層は、少なくとも屈折率の異なる２種類の誘電体が混在するように形成されており、その混在する割合によって実効的な屈折率が決定される。そして、２種類の誘電体が混在する割合は、多層膜フィルタに照射される光の入射角が小さい部分から光の入射角が大きい部分に向かうに従い、第３層の実効的な屈折率が大きくなるように、第３層の面内に亘って調整される。
【発明の効果】
【００１３】
本開示の一側面によれば、より簡易的な設計で透過波長シフトの発生を抑制することができる。
【図面の簡単な説明】
【００１４】
【図１】本技術を適用した撮像素子が備える多層膜フィルタの第１の実施の形態の構成例を示す断面図である。
【図２】多層膜フィルタが採用される撮像素子を平面的に見た図である。
【図３】多層膜フィルタの製造方法について説明する図である。
【図４】透過波長調整層の変形例を示す図である。
【図５】マルチスペクトルセンサへの適用について説明する図である。
【図６】多層膜フィルタの第２の実施の形態の構成例を示す断面図である。
【図７】多層膜フィルタの第３の実施の形態の構成例を示す断面図である。
【図８】多層膜フィルタの製造方法について説明する図である。
【図９】撮像素子の第１の構成例を示す断面図である。
【図１０】撮像素子の第２の構成例を示す断面図である。
【図１１】電子機器に搭載される撮像装置の構成例を示すブロック図である。
【図１２】イメージセンサを使用する使用例を示す図である。
【図１３】本開示に係る技術が適用され得る移動体制御システムの一例である車両制御システムの概略的な構成例を示すブロック図である。
【図１４】撮像部の設置位置の例を示す図である。
【発明を実施するための形態】
【００１５】
以下、本技術を適用した具体的な実施の形態について、図面を参照しながら詳細に説明する。
【００１６】
＜多層膜フィルタの第１の構成例＞
【００１７】
図１は、本技術を適用した撮像素子が備える多層膜フィルタの第１の実施の形態の構成例を示す断面図である。
【００１８】
図１に示される多層膜フィルタ１１は、画素ごとにフォトダイオードが形成される半導体基板（図示せず）に積層され、その半導体基板側から順に、第１の多層膜層２１、透過波長調整層２２、および第２の多層膜層２３が積層されて構成される。即ち、多層膜フィルタ１１は、第１の多層膜層２１および第２の多層膜層２３の２層によって透過波長調整層２２が挟み込まれる積層構造となっており、透過波長調整層２２の膜厚および屈折率により、多層膜フィルタ１１の透過波長が決定される。
【００１９】
また、多層膜フィルタ１１では、それぞれ屈折率の異なる誘電体からなる高屈折率材料３１、高屈折率材料３２、および低屈折率材料３３が積層されることにより、第１の多層膜層２１、透過波長調整層２２、および第２の多層膜層２３が構成される。
【００２０】
第１の多層膜層２１は、高屈折率材料３１ａ、低屈折率材料３３ａ、高屈折率材料３１ｂ、低屈折率材料３３ｂ、および高屈折率材料３１ｃが積層された周期構造となっている。
【００２１】
透過波長調整層２２は、高屈折率材料３２および低屈折率材料３３が混在するように形成されており、それらが混在する割合によって、透過波長調整層２２の実効的な屈折率が決定される。即ち、透過波長調整層２２は、低屈折率材料３３ｃを母材として、透過波長よりも小さいスケールの微細な円柱形状の高屈折率材料３２Ｓおよび３２Ｌからなる構造体のパターンが、低屈折率材料３３ｃに埋め込まれて構成される。また、高屈折率材料３２Ｓおよび３２Ｌは、それぞれ直径が異なるように形成されており、透過波長調整層２２の実効的な屈折率は、低屈折率材料３３ｃに混在する高屈折率材料３２Ｓおよび高屈折率材料３２Ｌそれぞれの割合（体積比率）に従って決定される。
【００２２】
第２の多層膜層２３は、高屈折率材料３２、低屈折率材料３３ｄ、高屈折率材料３１ｄ、低屈折率材料３３ｅ、および高屈折率材料３１ｅが積層された周期構造となっている。
【００２３】
ここで、多層膜フィルタ１１は、多層膜フィルタ１１が採用される撮像素子の撮像面における中央部（以下、チップ中央部と称する）と、その撮像面の端部（以下、チップ端部と称する）とで透過波長が一致するように、透過波長調整層２２の屈折率が調整される。
【００２４】
一般的に、光学的な干渉は、膜屈折率ｎおよび入射角θを用いて、ｎ×ｃｏｓθに依存する。このため、入射角θが大きいチップ端部では、その分に応じて膜屈折率ｎを大きくすることにより、干渉による透過波長の変動を抑制することができる。
【００２５】
従って、多層膜フィルタ１１は、チップ中央部よりもチップ端部で屈折率が大きくなるように透過波長調整層２２を形成することで、透過波長シフトの発生を低減することができる。
【００２６】
例えば、透過波長調整層２２は、低屈折率材料３３ｃを母材として微細なホールのパターンを形成し、それらのホールに、低屈折率材料３３ｃに対して相対的に屈折率の大きな高屈折率材料３２Ｌおよび３２Ｓを埋め込むことによって形成される。このとき、図２に示すように、光の入射角が小さいチップ中央部から、光の入射角が大きいチップ端部に向かうに従い、低屈折率材料３３ｃに形成されるホールの直径が大きくなるように制御される。
【００２７】
図２には、多層膜フィルタ１１が採用される撮像素子５１を平面的に見た図が示されている。
【００２８】
図２に示すように、チップ中央部の高屈折率材料３２Ｓの直径を小さくし、チップ端部の高屈折率材料３２Ｌの直径を大きくすることで、チップ中央部からチップ端部に向かうに従い屈折率が大きくなるように、撮像素子５１の面内に亘って屈折率が調整される。即ち、撮像素子５１のチップ中央部では光の入射角が小さいので、直径が小さな高屈折率材料３２Ｓを低屈折率材料３３ｃに埋め込むことで、透過波長調整層２２の実効的な屈折率を相対的に小さくすることができる。一方、撮像素子５１のチップ端部では光の入射角が大きいので、直径が大きな高屈折率材料３２Ｌを低屈折率材料３３ｃに埋め込むことで、透過波長調整層２２の実効的な屈折率を相対的に大きくすることができる。
【００２９】
このように、多層膜フィルタ１１は、撮像素子５１に対する光の入射角に応じて、透過波長調整層２２の光学的な膜厚を調整することで、光の入射角の異なるチップ内の領域における透過波長シフトの発生を抑制することができる。ここで、光学的な膜厚は、膜の屈折率と物理的な膜厚とで決定される。従って、透過波長調整層２２の実効的な屈折率をチップ内で入射角に応じて調整すること、即ち、高屈折率材料３２Ｓおよび３２Ｌの直径を適切に設計することで、チップ中央部およびチップ端部の光の入射角の違いに伴う透過波長シフトの発生を低減することができる。
【００３０】
また、従来、多層膜フィルタを用いたイメージセンサは、透過波長シフトの影響が受け難くするためには、光の入射角が小さい比較的に大きなカメラモジュールを用いる必要があった。これに対し、多層膜フィルタ１１を採用した撮像素子５１は、透過波長シフトの発生を低減するができるので、例えば、いわゆるスマートフォンに代表されるような光の入射角の大きい小型なカメラモジュールに適用することができる。そして、多層膜フィルタ１１を採用した撮像素子５１は、透過波長シフトによる画質ムラなどの発生を抑制することができるので、より高画質な画像を撮像することができる。
【００３１】
＜多層膜フィルタの製造方法＞
【００３２】
図３を参照して、図１の多層膜フィルタ１１の製造方法について説明する。
【００３３】
第１の工程において、図３の１段目に示すように、高屈折率材料３１ａ、低屈折率材料３３ａ、高屈折率材料３１ｂ、低屈折率材料３３ｂ、および高屈折率材料３１ｃが積層されて構成される第１の多層膜層２１の全面に低屈折率材料３３ｃが成膜される。
【００３４】
第２の工程において、低屈折率材料３３ｃの全面にレジスト４１を成膜した後、パターニングを行う。これにより、図３の２段目に示すように、低屈折率材料３３ｃに埋め込まれる高屈折率材料３２Ｓおよび３２Ｌの直径に応じた微細なホールが、レジスト４１に形成される。
【００３５】
このとき、レジスト４１に形成される微細なホールの直径が、チップ中央部からチップ端部に近づくのに従って大きくなるように設計することで、工程数を増やすことなく、チップ中央部の屈折率とチップ端部の屈折率とに差を設けることができる。さらに、ホールのピッチを変更するのではなく、ホールの直径を変更することにより、加工用のマスクパターンの作成時には、チップ中央部からの距離に応じた関数でチップサイズ拡大の演算を施すだけでよく、設計面においても処理が容易である。
【００３６】
第３の工程において、図３の３段目に示すように、レジスト４１を利用して低屈折率材料３３ｃをエッチングすることにより、高屈折率材料３２Ｓを埋め込むためのホール４２Ｓ、および、高屈折率材料３２Ｌを埋め込むためのホール４２Ｌを形成する。
【００３７】
第４の工程において、図３の４段目に示すように、レジスト４１を除去する。
【００３８】
第５の工程において、図３の５段目に示すように、ホール４２Ｓに高屈折率材料３２Ｓを埋め込み、ホール４２Ｌに高屈折率材料３２Ｌを埋め込むのと同時に、透過波長調整層２２に対して高屈折率材料３２を成膜する。
【００３９】
第６の工程において、図３の６段目に示すように、高屈折率材料３２に対して、低屈折率材料３３ｄ、高屈折率材料３１ｄ、低屈折率材料３３ｅ、および高屈折率材料３１ｅを積層することにより、第２の多層膜層２３が形成される。
【００４０】
以上のような工程により、透過波長シフトの発生を低減する機能を備えた多層膜フィルタ１１を製造することができる。
【００４１】
なお、低屈折率材料３３には、ＳｉＯ２を使用し、高屈折率材料３１および高屈折率材料３２には、ＳｉＮやＴｉＯ２、Ａｌ２Ｏ３、Ｔａ２Ｏ５、ＨｆＯ２などから適宜選択して使用することができる。また、高屈折率材料３２Ｓおよび３２Ｌを形成するためのホールの形状は、円形に限られることはなく、四角形や多角形などの形状を採用してよい。
【００４２】
＜透過波長調整層の変形例＞
【００４３】
図４を参照して、透過波長調整層２２の変形例について説明する。
【００４４】
図４Ａには、透過波長調整層２２の第１の変形例が示されている。
【００４５】
図４Ａに示すように、透過波長調整層２２Ａは、平面的に見て、透過波長よりも幅の狭い微細なライン形状の高屈折率材料３２Ｓおよび３２Ｌからなる構造体のパターンが低屈折率材料３３ｃに埋め込まれて形成される。このように、高屈折率材料３２Ｓおよび３２Ｌにライン形状のパターンを用いることにより、図２に示したような円柱形状のパターンを用いた構成よりも、低屈折率材料３３ｃに対す高屈折率材料３２Ｓおよび３２Ｌの占有率を上げやすくなる。これにより、透過波長調整層２２Ａにおける屈折率の制御範囲を拡大し易くすることができる。
【００４６】
また、ライン形状の高屈折率材料３２Ｓおよび３２Ｌは、パターンのピッチを一定にして、パターンの幅だけが変更されている。これにより、加工用のマスクパターンの作成時には、チップ中央部からの距離に応じた関数でチップサイズ拡大の演算を施すだけでよく、設計面においても処理が容易である。
【００４７】
図４Ｂには、透過波長調整層２２の第２の変形例が示されている。
【００４８】
図４Ｂに示すように、透過波長調整層２２Ｂは、平面的に見て、低屈折率材料３３ｃに埋め込まれる微細な円柱形状の高屈折率材料３２のパターンの配置密度が、チップ中央部とチップ端部とで異なるように形成される。
【００４９】
即ち、透過波長調整層２２Ｂは、チップ中央部における高屈折率材料３２がパターンの密度が低くなるように配置され、チップ端部における高屈折率材料３２がパターンの密度が高くなるように配置されて形成される。これにより、透過波長調整層２２Ｂは、チップ中央部における実効的な屈折率が低く、チップ端部における実効的な屈折率が高くなる。例えば、透過波長調整層２２Ｂは、高屈折率材料３２を形成するためのホールのパターンの生成密度が、チップ中央部からの距離に応じて変更されるようにマスクが設計される。
【００５０】
図４Ｃには、透過波長調整層２２の第３の変形例が示されている。
【００５１】
図４Ｃに示すように、透過波長調整層２２Ｃは、平面的に見て、低屈折率材料３３ｃに埋め込まれる微細なライン形状の高屈折率材料３２のパターンの配置密度が、チップ中央部とチップ端部とで異なるように形成されている。
【００５２】
即ち、透過波長調整層２２Ｃは、チップ中央部における高屈折率材料３２がパターンの密度が低くなるように配置され、チップ端部における高屈折率材料３２がパターンの密度が高くなるように配置されて形成される。これにより、透過波長調整層２２Ｃは、チップ中央部における実効的な屈折率が低く、チップ端部における実効的な屈折率が高くなる。例えば、透過波長調整層２２Ｃは、高屈折率材料３２を形成するためのラインのパターンの生成密度が、チップ中央部からの距離に応じて変更されるようにマスクが設計される。
【００５３】
なお、多層膜フィルタ１１では、透過波長調整層２２が、低屈折率材料３３ｃを母材として高屈折率材料３２の構造体のパターンが埋め込まれるように構成されているが、例えば、高屈折率材料を母材として、低屈折率材料の構造体のパターンが埋め込まれる構成を採用してもよい。この場合、高屈折率材料の母材に対する低屈折率材料の構造体の大きさや配置密度は、透過波長調整層２２とは逆になる。即ち、この場合、チップ中央部において、高屈折率材料の母材に対する低屈折率材料の構造体を大きくし、または、低屈折率材料の構造体の配置密度を高くする。同様に、この場合、チップ端部において、高屈折率材料の母材に対する低屈折率材料の構造体を小さくし、または、低屈折率材料の構造体の配置密度を低くする。
【００５４】
また、多層膜フィルタ１１では、透過波長調整層２２が、低屈折率材料３３ｃを母材としているため、透過波長調整層２２が、第１の多層膜層２１および第２の多層膜層２３よりも低屈折率となるように構成されている。これに対し、例えば、透過波長調整層２２が、第１の多層膜層２１および第２の多層膜層２３よりも高屈折率となるような構成を採用してもよい。
【００５５】
さらに、多層膜フィルタ１１では、第１の多層膜層２１および第２の多層膜層２３が、単層で、所望の屈折率となるように構成してもよい。また、多層膜フィルタ１１では、第１の多層膜層２１および第２の多層膜層２３の屈折率が同一（同一の積層構造）となるように設定されていても、それらの屈折率が異なるように設定されていてもよい。
【００５６】
＜多層膜フィルタの第２の構成例＞
【００５７】
図５および図６を参照して、多層膜フィルタの第２の実施の形態について説明する。
【００５８】
例えば、多層膜フィルタ１１−１は、チップ内で多波長を検出するセンサ（マルチスペクトルセンサ）で使用することができる。
【００５９】
図５Ａには、多層膜フィルタ１１−１の全体的な斜視図が示されており、図５Ｂには、多層膜フィルタ１１−１の透過波長の例が示されている。
【００６０】
図５に示す例では、多層膜フィルタ１１−１の透過波長は、波長の短い方から順に、青色の第１の波長域Ｂ１、青色の第２の波長域Ｂ２、青色の第３の波長域Ｂ３、緑色の第１の波長域Ｇ１、緑色の第２の波長域Ｇ２、緑色の第３の波長域Ｇ３、赤色の第１の波長域Ｒ１、赤色の第２の波長域Ｒ２、および赤色の第３の波長域Ｒ３となるように設定される。
【００６１】
このような９つの波長域の光を透過することができるように、図５Ａに示すように多層膜フィルタ１１−１が９つの領域に分割され、それぞれの領域ごとに異なる波長域の光を透過するように、透過波長調整層２２の実効的な屈折率が設定される。そして、多層膜フィルタ１１−１では、それぞれの波長域の領域において、チップ中央部からの距離に応じて透過波長調整層２２の実効的な屈折率（即ち、低屈折率材料３３ｃに対する高屈折率材料３２の割合）が設定され、光の入射角に応じた光学的な膜厚が調整される。
【００６２】
図６は、多層膜フィルタ１１−１の断面的な構成例を示す図である。
【００６３】
図６Ａには、多層膜フィルタ１１−１の青色の波長域の領域１１−１Ｂが示されており、図６Ｂには、多層膜フィルタ１１−１の緑色の波長域の領域１１−１Ｇが示されており、図６Ｃには、多層膜フィルタ１１−１の赤色の波長域の領域１１−１Ｒが示されている。
【００６４】
例えば、多層膜フィルタ１１−１は、まず、青色の波長域の領域１１−１Ｂ、緑色の波長域の領域１１−１Ｇ、および赤色の波長域の領域１１−１Ｒごとに、透過波長調整層２２において低屈折率材料３３ｃに埋め込む高屈折率材料３２の割合が設定される。即ち、領域１１−１Ｂでは、青色の波長域を透過するように低屈折率材料３３ｃに対する高屈折率材料３２の割合が選択され、領域１１−１Ｇでは、緑色の波長域を透過するように低屈折率材料３３ｃに対する高屈折率材料３２の割合が選択される。同様に、領域１１−１Ｒでは、赤色の波長域を透過するように低屈折率材料３３ｃに対する高屈折率材料３２の割合が選択される。
【００６５】
さらに、青色の波長域の領域１１−１Ｂ、緑色の波長域の領域１１−１Ｇ、および赤色の波長域の領域１１−１Ｒそれぞれにおいて、光の入射角に応じて、高屈折率材料３２Ｓおよび３２Ｌの直径が調整される。例えば、多層膜フィルタ１１−１は、透過波長調整層２２を形成する際、加工マスク１枚の中で、透過する多波長の選択と、チップ内での入射角依存の調整とを同時に行うことができ、簡単な工程でマルチスペクトルセンサを実現することができる。
【００６６】
＜多層膜フィルタの第３の構成例＞
【００６７】
図７は、多層膜フィルタの第３の実施の形態の構成例を示す断面図である。
【００６８】
図７に示すように、多層膜フィルタ１１−２は、多層膜フィルタ１１−２の透過波長を決定する透過波長調整層２２だけでなく、第１の多層膜層２１、透過波長調整層２２、および第２の多層膜層２３を貫通するように、高屈折率材料３２Ｓおよび３２Ｌが形成される。即ち、多層膜フィルタ１１−２は、第１の多層膜層２１、透過波長調整層２２、および第２の多層膜層２３の全体で屈折率が調整される構造となっている。
【００６９】
このように構成される多層膜フィルタ１１−２は、図１の多層膜フィルタ１１と同様に、撮像素子５１に対する光の入射角に応じて高屈折率材料３２Ｓおよび３２Ｌの直径を調整する。これにより、多層膜フィルタ１１−２は、第１の多層膜層２１、透過波長調整層２２、および第２の多層膜層２３の全体で屈折率を調整し、光の入射角の異なるチップ内の領域における透過波長シフトの発生を抑制することができる。
【００７０】
＜多層膜フィルタの製造方法＞
【００７１】
図８を参照して、図７の多層膜フィルタ１１−２の製造方法について説明する。
【００７２】
第１の工程において、図８の１段目に示すように、第１の多層膜層２１、透過波長調整層２２、および第２の多層膜層２３を構成するように、高屈折率材料３１および低屈折率材料３３が積層された周期構造が形成される。
【００７３】
第２の工程において、第２の多層膜層２３の全面にレジスト４１を成膜した後、パターニングを行う。これにより、図８の２段目に示すように、高屈折率材料３２Ｓおよび３２Ｌの直径に応じた微細なホールが、レジスト４１に形成される。
【００７４】
第３の工程において、図８の３段目に示すように、レジスト４１を利用して第１の多層膜層２１、透過波長調整層２２、および第２の多層膜層２３をエッチングすることにより、高屈折率材料３２Ｓを埋め込むためのホール４２Ｓ、および、高屈折率材料３２Ｌを埋め込むためのホール４２Ｌを形成する。
【００７５】
このとき、第１の多層膜層２１の高屈折率材料３１ａが、エッチングをストップするためのエッチングストッパとして利用される。例えば、第１の多層膜層２１の高屈折率材料３１ａと低屈折率材料３３ａとの間でのエッチングレートの違いを利用して、高屈折率材料３１ａ上でエッチングを止める構成とすることができる。
【００７６】
第４の工程において、図３の４段目に示すように、レジスト４１を除去した後、ホール４２Ｓに高屈折率材料３２Ｓを埋め込み、ホール４２Ｌに高屈折率材料３２Ｌを埋め込むのと同時に、低屈折率材料３３ｆに対して高屈折率材料３２を成膜する。
【００７７】
以上のような工程により、第１の多層膜層２１、透過波長調整層２２、および第２の多層膜層２３の全体で透過波長シフトの発生を低減する機能を備えた多層膜フィルタ１１を製造することができる。
【００７８】
なお、高屈折率材料３２Ｓおよび３２Ｌを形成するためのホールの形状は、円形に限られることはなく、四角形や多角形などの形状や、ライン形状などを採用してよい。
【００７９】
＜撮像素子の構成例＞
【００８０】
図９および図１０を参照して、多層膜フィルタ１１を備えて構成される撮像素子５１の構成例について説明する。
【００８１】
図９は、撮像素子５１の第１の構成例を示す断面図である。
【００８２】
図９に示すように、撮像素子５１Ａは、例えば、シリコンなどの基板により構成される光電変換層５２の表面（図９の下側の面）に読み出し回路５３が配置され、光電変換層５２の裏面側に多層膜フィルタ１１が配置される裏面照射構造となっている。即ち、撮像素子５１Ａは、光入射面側から順に、多層膜フィルタ１１、光電変換層５２、および読み出し回路５３が積層された構造となっている。また、光電変換層５２には、画素ごとにフォトダイオードが形成されており、読み出し回路５３には、光電変換層５２における光電変換により発生する画素信号を読み出す多層配線が形成される。
【００８３】
このように、撮像素子５１Ａは、光の入射角の異なるチップ内の領域における透過波長シフトの発生を、より良好に抑制することができる。
【００８４】
例えば、表面照射構造の撮像素子は、多層配線が形成される読み出し回路５３の上層に多層膜フィルタ１１が形成される構成となり、多層配線の形成に伴う層間絶縁膜のチップ内膜厚にバラツキが発生することがあった。このため、多層膜フィルタ１１における干渉効果がバラツクため、光の入射角に依存する透過波長シフトを補正することが困難であると想定される。
【００８５】
これに対して、撮像素子５１Ａは、光電変換層５２の上層に多層膜フィルタ１１が形成される構成となっているため、このようなバラツキが発生するようなことがなく、光の入射角に依存する透過波長シフトを確実に補正することができる。
【００８６】
図１０は、撮像素子５１の第２の構成例を示す断面図である。
【００８７】
図１０に示すように、撮像素子５１Ｂは、例えば、有機系または無機系の材料が成膜されることにより構成される光電変換膜５５の表面（図１０の下側の面）に読み出し回路５３および半導体回路５４が配置され、光電変換膜５５の裏面側に多層膜フィルタ１１が配置される積層型の裏面照射構造となっている。即ち、撮像素子５１Ｂは、光入射面側から順に、多層膜フィルタ１１、光電変換膜５５、読み出し回路５３、および半導体回路５４が積層された構造となっている。また、光電変換膜５５には、画素ごとに光電変換部が形成されている。
【００８８】
このように、撮像素子５１Ｂは、光電変換膜５５の上層に多層膜フィルタ１１が形成される構成となっており、図９の撮像素子５１Ａと同様に、光の入射角の異なるチップ内の領域における透過波長シフトの発生を、より良好に抑制することができる。
【００８９】
なお、上述したような撮像素子５１は、例えば、デジタルスチルカメラやデジタルビデオカメラなどの撮像システム、撮像機能を備えた携帯電話機、または、撮像機能を備えた他の機器といった各種の電子機器に適用することができる。
【００９０】
＜撮像装置の構成例＞
【００９１】
図１１は、電子機器に搭載される撮像装置の構成例を示すブロック図である。
【００９２】
図１１に示すように、撮像装置１０１は、光学系１０２、撮像素子１０３、信号処理回路１０４、モニタ１０５、およびメモリ１０６を備えて構成され、静止画像および動画像を撮像可能である。
【００９３】
光学系１０２は、１枚または複数枚のレンズを有して構成され、被写体からの像光（入射光）を撮像素子１０３に導き、撮像素子１０３の受光面（センサ部）に結像させる。
【００９４】
撮像素子１０３としては、上述した撮像素子５１が適用される。撮像素子１０３には、光学系１０２を介して受光面に結像される像に応じて、一定期間、電子が蓄積される。そして、撮像素子１０３に蓄積された電子に応じた信号が信号処理回路１０４に供給される。
【００９５】
信号処理回路１０４は、撮像素子１０３から出力された画素信号に対して各種の信号処理を施す。信号処理回路１０４が信号処理を施すことにより得られた画像（画像データ）は、モニタ１０５に供給されて表示されたり、メモリ１０６に供給されて記憶（記録）されたりする。
【００９６】
このように構成されている撮像装置１０１では、上述した撮像素子５１を適用することで、例えば、透過波長シフトの発生を抑制して、画質ムラのない高画質な画像を撮像することができる。
【００９７】
＜イメージセンサの使用例＞
【００９８】
図１２は、上述のイメージセンサ（撮像素子５１）を使用する使用例を示す図である。
【００９９】
上述したイメージセンサは、例えば、以下のように、可視光や、赤外光、紫外光、X線等の光をセンシングする様々なケースに使用することができる。
【０１００】
・ディジタルカメラや、カメラ機能付きの携帯機器等の、鑑賞の用に供される画像を撮影する装置
・自動停止等の安全運転や、運転者の状態の認識等のために、自動車の前方や後方、周囲、車内等を撮影する車載用センサ、走行車両や道路を監視する監視カメラ、車両間等の測距を行う測距センサ等の、交通の用に供される装置
・ユーザのジェスチャを撮影して、そのジェスチャに従った機器操作を行うために、TVや、冷蔵庫、エアーコンディショナ等の家電に供される装置
・内視鏡や、赤外光の受光による血管撮影を行う装置等の、医療やヘルスケアの用に供される装置
・防犯用途の監視カメラや、人物認証用途のカメラ等の、セキュリティの用に供される装置
・肌を撮影する肌測定器や、頭皮を撮影するマイクロスコープ等の、美容の用に供される装置
・スポーツ用途等向けのアクションカメラやウェアラブルカメラ等の、スポーツの用に供される装置
・畑や作物の状態を監視するためのカメラ等の、農業の用に供される装置
【０１０１】
＜移動体への応用例＞
【０１０２】
本開示に係る技術（本技術）は、様々な製品へ応用することができる。例えば、本開示に係る技術は、自動車、電気自動車、ハイブリッド電気自動車、自動二輪車、自転車、パーソナルモビリティ、飛行機、ドローン、船舶、ロボット等のいずれかの種類の移動体に搭載される装置として実現されてもよい。
【０１０３】
図１３は、本開示に係る技術が適用され得る移動体制御システムの一例である車両制御システムの概略的な構成例を示すブロック図である。
【０１０４】
車両制御システム12000は、通信ネットワーク12001を介して接続された複数の電子制御ユニットを備える。図１３に示した例では、車両制御システム12000は、駆動系制御ユニット12010、ボディ系制御ユニット12020、車外情報検出ユニット12030、車内情報検出ユニット12040、及び統合制御ユニット12050を備える。また、統合制御ユニット12050の機能構成として、マイクロコンピュータ12051、音声画像出力部12052、及び車載ネットワークI/F(interface)12053が図示されている。
【０１０５】
駆動系制御ユニット12010は、各種プログラムにしたがって車両の駆動系に関連する装置の動作を制御する。例えば、駆動系制御ユニット12010は、内燃機関又は駆動用モータ等の車両の駆動力を発生させるための駆動力発生装置、駆動力を車輪に伝達するための駆動力伝達機構、車両の舵角を調節するステアリング機構、及び、車両の制動力を発生させる制動装置等の制御装置として機能する。
【０１０６】
ボディ系制御ユニット12020は、各種プログラムにしたがって車体に装備された各種装置の動作を制御する。例えば、ボディ系制御ユニット12020は、キーレスエントリシステム、スマートキーシステム、パワーウィンドウ装置、あるいは、ヘッドランプ、バックランプ、ブレーキランプ、ウィンカー又はフォグランプ等の各種ランプの制御装置として機能する。この場合、ボディ系制御ユニット12020には、鍵を代替する携帯機から発信される電波又は各種スイッチの信号が入力され得る。ボディ系制御ユニット12020は、これらの電波又は信号の入力を受け付け、車両のドアロック装置、パワーウィンドウ装置、ランプ等を制御する。
【０１０７】
車外情報検出ユニット12030は、車両制御システム12000を搭載した車両の外部の情報を検出する。例えば、車外情報検出ユニット12030には、撮像部12031が接続される。車外情報検出ユニット12030は、撮像部12031に車外の画像を撮像させるとともに、撮像された画像を受信する。車外情報検出ユニット12030は、受信した画像に基づいて、人、車、障害物、標識又は路面上の文字等の物体検出処理又は距離検出処理を行ってもよい。
【０１０８】
撮像部12031は、光を受光し、その光の受光量に応じた電気信号を出力する光センサである。撮像部12031は、電気信号を画像として出力することもできるし、測距の情報として出力することもできる。また、撮像部12031が受光する光は、可視光であっても良いし、赤外線等の非可視光であっても良い。
【０１０９】
車内情報検出ユニット12040は、車内の情報を検出する。車内情報検出ユニット12040には、例えば、運転者の状態を検出する運転者状態検出部12041が接続される。運転者状態検出部12041は、例えば運転者を撮像するカメラを含み、車内情報検出ユニット12040は、運転者状態検出部12041から入力される検出情報に基づいて、運転者の疲労度合い又は集中度合いを算出してもよいし、運転者が居眠りをしていないかを判別してもよい。
【０１１０】
マイクロコンピュータ12051は、車外情報検出ユニット12030又は車内情報検出ユニット12040で取得される車内外の情報に基づいて、駆動力発生装置、ステアリング機構又は制動装置の制御目標値を演算し、駆動系制御ユニット12010に対して制御指令を出力することができる。例えば、マイクロコンピュータ12051は、車両の衝突回避あるいは衝撃緩和、車間距離に基づく追従走行、車速維持走行、車両の衝突警告、又は車両のレーン逸脱警告等を含むADAS(Advanced Driver Assistance System)の機能実現を目的とした協調制御を行うことができる。
【０１１１】
また、マイクロコンピュータ12051は、車外情報検出ユニット12030又は車内情報検出ユニット12040で取得される車両の周囲の情報に基づいて駆動力発生装置、ステアリング機構又は制動装置等を制御することにより、運転者の操作に拠らずに自律的に走行する自動運転等を目的とした協調制御を行うことができる。
【０１１２】
また、マイクロコンピュータ12051は、車外情報検出ユニット12030で取得される車外の情報に基づいて、ボディ系制御ユニット12020に対して制御指令を出力することができる。例えば、マイクロコンピュータ12051は、車外情報検出ユニット12030で検知した先行車又は対向車の位置に応じてヘッドランプを制御し、ハイビームをロービームに切り替える等の防眩を図ることを目的とした協調制御を行うことができる。
【０１１３】
音声画像出力部12052は、車両の搭乗者又は車外に対して、視覚的又は聴覚的に情報を通知することが可能な出力装置へ音声及び画像のうちの少なくとも一方の出力信号を送信する。図１３の例では、出力装置として、オーディオスピーカ12061、表示部12062及びインストルメントパネル12063が例示されている。表示部12062は、例えば、オンボードディスプレイ及びヘッドアップディスプレイの少なくとも一つを含んでいてもよい。
【０１１４】
図１４は、撮像部12031の設置位置の例を示す図である。
【０１１５】
図１４では、撮像部12031として、撮像部12101，12102，12103，12104，12105を有する。
【０１１６】
撮像部12101，12102，12103，12104，12105は、例えば、車両12100のフロントノーズ、サイドミラー、リアバンパ、バックドア及び車室内のフロントガラスの上部等の位置に設けられる。フロントノーズに備えられる撮像部12101及び車室内のフロントガラスの上部に備えられる撮像部12105は、主として車両12100の前方の画像を取得する。サイドミラーに備えられる撮像部12102，12103は、主として車両12100の側方の画像を取得する。リアバンパ又はバックドアに備えられる撮像部12104は、主として車両12100の後方の画像を取得する。車室内のフロントガラスの上部に備えられる撮像部12105は、主として先行車両又は、歩行者、障害物、信号機、交通標識又は車線等の検出に用いられる。
【０１１７】
なお、図１４には、撮像部12101ないし12104の撮影範囲の一例が示されている。撮像範囲12111は、フロントノーズに設けられた撮像部12101の撮像範囲を示し、撮像範囲12112，12113は、それぞれサイドミラーに設けられた撮像部12102，12103の撮像範囲を示し、撮像範囲12114は、リアバンパ又はバックドアに設けられた撮像部12104の撮像範囲を示す。例えば、撮像部12101ないし12104で撮像された画像データが重ね合わせられることにより、車両12100を上方から見た俯瞰画像が得られる。
【０１１８】
撮像部12101ないし12104の少なくとも１つは、距離情報を取得する機能を有していてもよい。例えば、撮像部12101ないし12104の少なくとも１つは、複数の撮像素子からなるステレオカメラであってもよいし、位相差検出用の画素を有する撮像素子であってもよい。
【０１１９】
例えば、マイクロコンピュータ12051は、撮像部12101ないし12104から得られた距離情報を基に、撮像範囲12111ないし12114内における各立体物までの距離と、この距離の時間的変化（車両12100に対する相対速度）を求めることにより、特に車両12100の進行路上にある最も近い立体物で、車両12100と略同じ方向に所定の速度（例えば、0km/h以上）で走行する立体物を先行車として抽出することができる。さらに、マイクロコンピュータ12051は、先行車の手前に予め確保すべき車間距離を設定し、自動ブレーキ制御（追従停止制御も含む）や自動加速制御（追従発進制御も含む）等を行うことができる。このように運転者の操作に拠らずに自律的に走行する自動運転等を目的とした協調制御を行うことができる。
【０１２０】
例えば、マイクロコンピュータ12051は、撮像部12101ないし12104から得られた距離情報を元に、立体物に関する立体物データを、２輪車、普通車両、大型車両、歩行者、電柱等その他の立体物に分類して抽出し、障害物の自動回避に用いることができる。例えば、マイクロコンピュータ12051は、車両12100の周辺の障害物を、車両12100のドライバが視認可能な障害物と視認困難な障害物とに識別する。そして、マイクロコンピュータ12051は、各障害物との衝突の危険度を示す衝突リスクを判断し、衝突リスクが設定値以上で衝突可能性がある状況であるときには、オーディオスピーカ12061や表示部12062を介してドライバに警報を出力することや、駆動系制御ユニット12010を介して強制減速や回避操舵を行うことで、衝突回避のための運転支援を行うことができる。
【０１２１】
撮像部12101ないし12104の少なくとも１つは、赤外線を検出する赤外線カメラであってもよい。例えば、マイクロコンピュータ12051は、撮像部12101ないし12104の撮像画像中に歩行者が存在するか否かを判定することで歩行者を認識することができる。かかる歩行者の認識は、例えば赤外線カメラとしての撮像部12101ないし12104の撮像画像における特徴点を抽出する手順と、物体の輪郭を示す一連の特徴点にパターンマッチング処理を行って歩行者か否かを判別する手順によって行われる。マイクロコンピュータ12051が、撮像部12101ないし12104の撮像画像中に歩行者が存在すると判定し、歩行者を認識すると、音声画像出力部12052は、当該認識された歩行者に強調のための方形輪郭線を重畳表示するように、表示部12062を制御する。また、音声画像出力部12052は、歩行者を示すアイコン等を所望の位置に表示するように表示部12062を制御してもよい。 
【０１２２】
以上、本開示に係る技術が適用され得る車両制御システムの一例について説明した。本開示に係る技術は、以上説明した構成のうち、撮像部12031に適用され得る。具体的には、撮像部12031は、図１の多層膜フィルタ１１を備えた構成を採用することができる。これにより、撮像部12031は、例えば、透過波長シフトの発生を抑制して、画質ムラのない高画質な画像を撮像することができるため、ドライバが、より見やすい画像を提供することができる。
【０１２３】
なお、本技術は以下のような構成も取ることができる。
（１）
第１の屈折率を有する第１層、第２の屈折率を有する第２層、および第３の屈折率を有する第３層が少なくとも積層されて構成され、前記第１層および前記第３層によって前記第２層が挟み込まれる積層構造の多層膜フィルタを備え、
前記第２層は、少なくとも屈折率の異なる２種類の誘電体が混在するように形成されており、その混在する割合によって実効的な屈折率が決定され、
２種類の前記誘電体が混在する割合は、前記多層膜フィルタに照射される光の入射角が小さい部分から光の入射角が大きい部分に向かうに従い、前記第２層の実効的な屈折率が大きくなるように、前記第２層の面内に亘って調整される
固体撮像素子。
（２）
前記第２層は、所定の屈折率の第１の誘電体を母材として、前記第１の誘電体とは屈折率が異なる第２の誘電体を埋め込むことにより、前記多層膜フィルタが透過する光の透過波長より小さいサイズの構造体が前記第２の誘電体により形成されて構成される
上記（１）に記載の固体撮像素子。
（３）
前記第１の誘電体に対する前記第２の誘電体の割合は、前記光の入射角に応じて、前記構造体の寸法を変更することにより調整される
上記（２）に記載の固体撮像素子。
（４）
前記第１の誘電体の屈折率が前記第２の誘電体の屈折率よりも低い場合、前記第１の誘電体に対する前記第２の誘電体の割合は、前記光の入射角が大きくなる領域における前記構造体の寸法を大きくすることで調整される
上記（３）に記載の固体撮像素子。
（５）
前記第１の誘電体に対する前記第２の誘電体の割合は、前記光の入射角に応じて、前記構造体の配置密度を変更することにより調整される
上記（２）に記載の固体撮像素子。
（６）
前記第１の誘電体の屈折率が前記第２の誘電体の屈折率よりも低い場合、前記第１の誘電体に対する前記第２の誘電体の割合は、前記光の入射角が大きくなる領域における前記構造体の配置密度を高くすることで調整される
上記（５）に記載の固体撮像素子。
（７）
前記多層膜フィルタは、複数の領域ごとに異なる波長域の光を透過するように、前記領域ごとに前記第２層の実効的な屈折率が設定され、
それぞれの前記領域において、前記光の入射角に応じて２種類の前記誘電体が混在する割合が調整される
上記（１）から（６）までのいずれかに記載の固体撮像素子。
（８）
光入射面側から順に、前記多層膜フィルタ、画素ごとに光電変換部が形成される光電変換層、前記光電変換層から画素信号を読み出す読み出し回路が積層された構造である
上記（１）から（７）までのいずれかに記載の固体撮像素子。
（９）
前記第２の屈折率は、前記第１の屈折率および前記第３の屈折率よりも低屈折率である
上記（１）から（８）までのいずれかに記載の固体撮像素子。
（１０）
前記第１層および前記第３層は、屈折率の異なる材料からなる膜が積層された多層膜層である
上記（１）から（９）までのいずれかに記載の固体撮像素子。
（１１）
前記第１の屈折率および前記第３の屈折率が略同一である
上記（１）から（１０）までのいずれかに記載の固体撮像素子。
（１２）
第１の屈折率を有する第１層、第２の屈折率を有する第２層、および第３の屈折率を有する第３層が少なくとも積層されて構成され、前記第１層および前記第３層によって前記第２層が挟み込まれる積層構造の多層膜フィルタを備え、
前記第２層は、少なくとも屈折率の異なる２種類の誘電体が混在するように形成されており、その混在する割合によって実効的な屈折率が決定され、
２種類の前記誘電体が混在する割合は、前記多層膜フィルタに照射される光の入射角が小さい部分から光の入射角が大きい部分に向かうに従い、前記第２層の実効的な屈折率が大きくなるように、前記第２層の面内に亘って調整される
固体撮像素子の製造方法であって、
所定の屈折率の第１の誘電体を母材として、前記第１の誘電体とは屈折率が異なる第２の誘電体を埋め込み、
前記多層膜フィルタが透過する光の透過波長より小さいサイズの構造体を前記第２の誘電体により形成する
工程を含む製造方法。
（１３）
第１の屈折率を有する第１層、第２の屈折率を有する第２層、および第３の屈折率を有する第３層が少なくとも積層されて構成され、前記第１層および前記第３層によって前記第２層が挟み込まれる積層構造の多層膜フィルタを備え、
前記第２層は、少なくとも屈折率の異なる２種類の誘電体が混在するように形成されており、その混在する割合によって実効的な屈折率が決定され、
２種類の前記誘電体が混在する割合は、前記多層膜フィルタに照射される光の入射角が小さい部分から光の入射角が大きい部分に向かうに従い、前記第２層の実効的な屈折率が大きくなるように、前記第２層の面内に亘って調整される
固体撮像素子を備える電子機器。
【０１２４】
なお、本実施の形態は、上述した実施の形態に限定されるものではなく、本開示の要旨を逸脱しない範囲において種々の変更が可能である。
【符号の説明】
【０１２５】
１１  多層膜フィルタ，  ２１  第１の多層膜層，  ２２  透過波長調整層，  ２３  第２の多層膜層，  ３１および３２  高屈折率材料，  ３３  低屈折率材料，  ４１  レジスト，  ４２  ホール，  ５１  撮像素子，  ５２  光電変換層，  ５３  読み出し回路，  ５４  半導体回路，  ５５  光電変換膜
【図１】
2018026378.tif 000003
【図２】
2018026378.tif 000004
【図３】
2018026378.tif 000005
【図４】
2018026378.tif 000006
【図５】
2018026378.tif 000007
【図６】
2018026378.tif 000008
【図７】
2018026378.tif 000009
【図８】
2018026378.tif 000010
【図９】
2018026378.tif 000011
【図１０】
2018026378.tif 000012
【図１１】
2018026378.tif 000013
【図１２】
2018026378.tif 000014
【図１３】
2018026378.tif 000015
【図１４】
2018026378.tif 000016